【手続補正書】
【提出日】平成18年3月30日(2006.3.30)
【手続補正１】
【補正対象書類名】特許請求の範囲
【補正対象項目名】全文
【補正方法】変更
【補正の内容】
【特許請求の範囲】
【請求項１】
信号受信方法であって、前記方法は、
受信した信号を予め定めたコードシーケンスに相関付けることと、
この相関付けの結果に基づいて値を統合することであって、この統合の結果は、少なくとも１つの加えられたシフトに基づいており、前記少なくとも１つの加えられたシフトは、信号ドリフト判定に基づいていることと、
前記統合の結果における特徴位置を決定することと、
前記少なくとも１つの加えられたシフトに基づいて、前記決定された特徴位置に、補正を加えることと
を含む方法。
【請求項２】
請求項１に記載の信号受信方法において、前記予め定めたコードシーケンスは、擬似ノイズシーケンスである方法。
【請求項３】
請求項１に記載の信号受信方法において、前記信号ドリフト判定は、推定されたドップラシフトに基づいている方法。
【請求項４】
請求項１に記載の信号受信方法において、前記方法は、更にＧＰＳから信号を受信することを含む方法。
【請求項５】
請求項１に記載の信号受信方法において、前記特徴は局所ピークである方法。
【請求項６】
請求項１に記載の信号受信方法において、前記加えられたシフトは、前記受信した信号のサンプルを加えることと、捨てることとのうちの１つを含む方法。
【請求項７】
請求項１に記載の信号受信方法において、前記特徴位置を決定することは、前記統合の結果に閾値を加えることを含む方法。
【請求項８】
請求項１に記載の信号受信方法において、前記特徴位置を決定することは、前記統合の結果の複数のサンプルから補間することを含む方法。
【請求項９】
請求項１に記載の信号受信方法において、前記特徴位置を補正することは、ドリフト補正値を計算することを含み、
おのおの加えられたシフトについて、前記ドリフト補正値は、前記加えられたシフトと、前記シフトが加えられた受信信号の一部との積に基づいている方法。
【請求項１０】
請求項１に記載の信号受信方法において、
前記相関付けるステップは出力信号を生成し、
前記出力信号は、前記相関付けの結果に基づく値を含み、
前記少なくとも１つの加えられたシフトは、蓄積されたドップラコードシフトを補償するために、補正期間にわたった前記出力信号のシフトを含み、
前記蓄積されたドップラコードシフトは、前記信号ドリフトを含み、
前記統合の結果における特徴は、ピークを含む方法。
【請求項１１】
請求項１に記載の信号受信方法において、
前記相関付けるステップは出力信号を生成し、
前記出力信号は、前記相関付けの結果に基づく値を含み、
前記少なくとも１つの加えられたシフトは、補正期間にわたった前記出力信号のシフトを含み、
ドップラシフトファクタが受信され、
前記信号ドリフトを含む、蓄積されたドップラコードシフトが、前記ドップラシフトファクタを用いて決定され、
前記出力信号は、前記蓄積されたドップラコードシフトを補償するために、前記補正期間にわたってシフトされ、
前記統合の結果における特徴は、ピークを含み、
前記補正は、時間期間にわたった出力信号ピークの位置の変化を反映するドリフト値に基づいて前記統合の結果を調整することを含む方法。
【請求項１２】
蓄積されたドップラコードシフトを補償するための信号受信方法であって、前記方法は、
受信信号を予め定めたコードシーケンスに相関付け、出力信号を生成することと、
補正期間にわたって前記受信信号の蓄積されたドップラコードシフトを決定することと、
統合期間にわたって前記出力信号を統合し、合成結果を生成することであって、前記合成結果は、前記蓄積されたドップラコードシフトを補償するために、補正期間にわたって前記出力信号のシフトを反映していることと、
前記合成結果を調整し、前記出力信号のピークのドリフトを補償することと
を含む方法。
【請求項１３】
請求項１２に記載の信号受信方法において、
前記合成結果を調整することは、ドリフト補正値を計算することを含み、
前記出力信号の各シフトについて、前記ドリフト補正値が、前記シフトが加えられた出力信号の一部と前記シフトとの積に基づいている方法。
【請求項１４】
請求項１２に記載の信号受信方法において、前記補正期間は、コード変調期間に一致している方法。
【請求項１５】
請求項１２に記載の信号受信方法において、前記ピークのドリフトは、前記補正期間の終点に対する前記補正期間の中点から測定される方法。
【請求項１６】
請求項１２に記載の信号受信方法において、前記ピークのドリフトは、前記補正期間の外側のポイントから測定される方法。
【請求項１７】
請求項１２に記載の信号受信方法において、前記調整するステップは、前記統合するステップによって生成された複数の合成結果の中から補間することを含む方法。
【請求項１８】
ドップラシフトファクタを用いて、蓄積されたドップラコードシフトを補償するための信号受信方法であって、前記方法は、
受信信号を予め定めたコードシーケンスに相関付け、出力信号を生成することと、
統合期間にわたって前記出力信号を統合し、合成結果を生成することであって、
ドップラシフトファクタが受信され、
補正期間にわたって蓄積された前記ドップラコードシフトが、前記ドップラシフトファクタを用いて決定され、
前記蓄積されたドップラコードシフトを補償するために、前記補正期間にわたって前記出力信号がシフトされることと、
時間期間にわたって前記出力信号のピークの位置の変更を反映するドリフト値を決定することと、
前記ドリフト値に基づいて、前記合成結果を調整することと
を含む方法。
【請求項１９】
請求項１８に記載の信号受信方法において、
前記蓄積されたドップラコードシフトが、複数の補正期間のうちの各々によって決定され、
前記複数の補正期間のうちの各々による出力信号のシフトが、別の方法で重み付けられる方法。
【請求項２０】
請求項１８に記載の信号受信方法において、
前記統合するステップ及び前記調整するステップは、独立して起こる方法。
【手続補正２】
【補正対象書類名】明細書
【補正対象項目名】０００３
【補正方法】変更
【補正の内容】
【０００３】
直接的なシーケンス拡散スペクトル（ＤＳＳ：direct sequence spread spectrum）技術では、データ信号が、キャリア上で変調される前に、擬似ノイズ（ＰＮ：pseudo-noise）コードシーケンスを用いて拡散される。ＧＰＳシステムでは、あるそのようなコードシーケンスは、粗捕捉（Ｃ／Ａ：coarse acquisition）コードと呼ばれる。受信信号が、同一のコードシーケンスで相関付けられる場合、相関ピークが取得される。この相関ピークの時間における位置は、信号の伝播遅延に関する情報を与える。この伝播遅延情報は、送信機と受信機との間の相対距離を決定するために使用されうる。
【手続補正３】
【補正対象書類名】明細書
【補正対象項目名】００３５
【補正方法】変更
【補正の内容】
【００３５】
信号ドリフト値の推定に誤差があるのであれば、推定された信号ドリフト値に基づいて、図６に示すような補償処理によって補正が加えられる。この補正は、推定されたピークドリフトの割合から導出されうる。合成プロファイルのピーク値のシフトは、補償が加えられた後の瞬時ピーク位置の時間平均値でありうる。統合の中点における瞬時ピークの位置は、加えられたドップラ補償の時間平均値、統合開始前に加えられた補正によるバイアス値、及び合成ピークプロファイルの位置の合計によって推定することができる。数学的には、  
【数５】
2006505801.tif 000001